(57)【特許請求の範囲】
【請求項１】
内視鏡システムの機能を実行するための複数のスイッチを有する操作部と、各スイッチを発光させる発光手段とを有する内視鏡と、
前記内視鏡が接続されるビデオプロセッサと、
前記内視鏡システムの不具合を検知する検知手段と、
を有し、
前記発光手段は、少なくとも１つの前記スイッチを、前記検知手段により検知された前記内視鏡システムを構成する機器レベルでの不具合発生箇所に応じてあらかじめ定められた発光色および第１の発光パターンにて発光させる第１の発光処理を行なうことを特徴とする内視鏡システム。
【請求項２】
前記発光手段は、前記第１の発光処理の後に、少なくとも１つの前記スイッチを、前記検知手段により検知された前記内視鏡システムが有する機能レベルでの不具合発生箇所に応じてあらかじめ定められた発光色および第２の発光パターンにて発光させる第２の発光処理を行なうことを特徴とする、請求項１に記載の内視鏡システム。
【請求項３】
前記ビデオプロセッサが、前記内視鏡システムの機能を実行するためのスイッチであって所定の発光色にて発光されるスイッチを有し、
前記ビデオプロセッサのスイッチに割り当てられている機能に不具合が発生した場合、前記第２の発光処理において、不具合が発生した機能を実行する該ビデオプロセッサのスイッチの発光色にて前記操作部の複数のスイッチの少なくとも１つのスイッチが第２の発光パターンにて発光されることを特徴とする、請求項２に記載の内視鏡システム。
【請求項４】
前記操作部の複数のスイッチのいずれかに割り当てられている機能に不具合が発生した場合、前記第２の発光処理において、該機能が割り当てられているスイッチが前記第２の発光パターンにて発光されることを特徴とする、請求項２又は請求項３に記載の内視鏡システム。
【請求項５】
前記内視鏡システムには周辺機器が含まれ、
前記周辺機器にて不具合が発生した場合、前記第１の発光処理において、前記内視鏡及び前記ビデオプロセッサに関連付けられている発光色とは異なる発光色にて前記操作部の複数のスイッチの少なくとも１つのスイッチが発光されることを特徴とする、請求項１から請求項４のいずれか一項に記載の内視鏡システム。
【発明の詳細な説明】
【技術分野】
【０００１】
本発明は、不具合を迅速かつ容易に把握することが可能な内視鏡システムに関する。
【背景技術】
【０００２】
内視鏡では、内視鏡本体を把持しながら内視鏡の操作部に設けられているスイッチを操作することにより、患者の体腔内の対象物を観察したり、対象物の撮像を行ったりする。
【０００３】
一般に内視鏡検査は検査室を薄暗い状態にして行われるので、内視鏡の操作部やビデオプロセッサのタッチパネルにおけるスイッチの位置や各スイッチに割り当てられている機能を瞬時に識別することができない。また、単一のビデオプロセッサに対して複数種類の内視鏡を接続することができる内視鏡システムにおいては、内視鏡とビデオプロセッサとの種々の組み合わせによっては、内視鏡もしくはビデオプロセッサが本来持つ機能であるにもかかわらず実行できる場合と実行できない場合が起こり得る。そのため、内視鏡やビデオプロセッサを一瞥しただけではこれらの機能について有効、無効を容易に判別することは困難である。このことは、内視鏡システム内のいずれかの機能に不具合が生じた場合に、当該機能が、そもそも内視鏡とビデオプロセッサとの組み合わせに起因する無効状態にあるのか、それとも不具合が生じているのかの判断の難度を無用に高める要因になる。さらには、施術中の術者にとって、不具合が生じている機器、機能を特定する作業は、時間や手間がかかり大きな負担となりかねない。
【０００４】
そこで、内視鏡システムにおける不具合の警告を行うものとしては、特許文献１に開示されるような内視鏡システムが提案されている。特許文献１では、内視鏡装置において不具合が発生した場合の警告を、ビデオプロセッサのタッチパネルに表示することができる。タッチパネルには警告画面と警告の内容に対応する解決方法が表示される。これにより、タッチパネルを確認するだけで、警告の内容及び不具合に対する対処方法を把握することができる。
【先行技術文献】
【特許文献】
【０００５】
【特許文献１】特開平９−１９２０９５号公報
【発明の概要】
【発明が解決しようとする課題】
【０００６】
ところが、上記のような従来の内視鏡システムでは、施術中にシステムの機能に不具合が発生した場合、術者は、警告を確認するには、操作部におけるスイッチなどの操作を中断してビデオプロセッサのタッチパネルを確認しなければならないため、施術効率が低下する可能性がある。
【０００７】
本発明は上記の事情に鑑みてなされたものである。本発明の目的は、操作部の操作中に不具合が発生しても、操作部から目を離すことなく内視鏡システムにおける不具合を把握することが可能な内視鏡システムを提供することである。
【課題を解決するための手段】
【０００８】
上記の課題を解決する本発明の一実施形態に係る内視鏡システムは、内視鏡システムの機能を実行するための複数のスイッチを有する操作部と、各スイッチを発光させる発光手段とを有する内視鏡と、内視鏡が接続されるビデオプロセッサと、内視鏡システムの不具合を検知する検知手段とを有する。発光手段は、少なくとも１つのスイッチを検知手段により検知された内視鏡システムを構成する機器レベルでの不具合発生箇所に応じてあらかじめ定められた発光色および第１の発光パターンにて発光させる第１の発光処理を行なう。これにより、術者や他の作業者は、操作部を確認するだけで、不具合が操作部とビデオプロセッサのいずれで発生したかを確認することができる。
【０００９】
好ましくは、発光手段は、第１の発光処理の後に、少なくとも１つのスイッチを検知手段により検知された内視鏡システムが有する機能レベルでの不具合発生箇所に応じてあらかじめ定められた発光色および第２の発光パターンにて発光させる第２の発光処理を行なう。
【００１０】
さらに好ましくは、ビデオプロセッサが、内視鏡システムの機能を実行するためのスイッチであって所定の発光色にて発光されるスイッチを有し、ビデオプロセッサのスイッチに割り当てられている機能に不具合が発生した場合、第２の発光処理において、不具合が発生した機能を実行するビデオプロセッサのスイッチの発光色にて操作部の複数のスイッチの少なくとも１つのスイッチが第２の発光パターンにて発光される。また、操作部の複数のスイッチのいずれかに割り当てられている機能に不具合が発生した場合、第２の発光処理において、該機能が割り当てられているスイッチが第２の発光パターンにて発光される。
【００１１】
そして、内視鏡システムには周辺機器が含まれ、周辺機器にて不具合が発生した場合、第１の発光処理において、内視鏡及びビデオプロセッサに関連付けられている発光色とは異なる発光色にて操作部の複数のスイッチの少なくとも１つのスイッチが発光される。
【発明の効果】
【００１２】
本発明によれば、施術中に内視鏡システムにおける不具合が発生しても、操作部から目を離すことなく不具合を把握することが可能な内視鏡システムを提供することができる。
【図面の簡単な説明】
【００１３】
【図１】図１は、本発明の一実施形態における内視鏡システムの概略の構成を示すブロック図である。
【図２】図２（ａ），（ｂ）は、本発明の一実施形態における内視鏡の操作部を示す模式図である。
【発明を実施するための形態】
【００１４】
以下、図面を参照して、本発明の一実施形態における内視鏡システムについて説明する。なお、複数の図にまたがって同じ部材を示す場合は同じ番号を付すこととする。
【００１５】
図１は、本発明の内視鏡システム１００の概略の構成を示すブロック図である。内視鏡システム１００は、内視鏡１、ビデオプロセッサ２を備える。内視鏡１は、ビデオプロセッサ２と光学的及び電気的に接続されている。ビデオプロセッサ２の光源部４１は、ハロゲンランプ、キセノンランプ、白色ＬＥＤなどの光源、照明光の伝搬路である光ファイバからなるライトガイド２１の入射端に光源からの光を集光する集光レンズ、光源とライトガイド２１との間に設けられ光源からの白色光を赤（Ｒ）、緑（Ｇ）、青（Ｂ）の光に順次色分解するためのカラーフィルタ、映像信号をフレームメモリに書き込む際のタイミングパルスや垂直同期信号に同期してカラーフィルタが回転するようにカラーフィルタの速度と位相を制御するためのカラーフィルタ回転制御回路、照明光の光量を調整するための光量絞り、光量絞りを制御する回路などを有し、面順次方式にて照明光を生成する。なお、撮像方式は、面順次方式の代わりに同時方式の撮像方式を採用してもよい。すなわち、光源の白色光をそのままライトガイドに集光して伝搬させて観察対象部位に照射し、撮像素子上にオンチップ化された補色フィルタによって補色信号を分離し、この補色信号をＲ，Ｇ，Ｂの原色信号に変換して、この原色信号を色差マトリクスによって色差信号Ｒ−Ｙ，Ｂ−Ｙを得ることができる。もちろん、補色フィルタの代わりにＲ，Ｇ，Ｂの三原色の色フィルタを用いて原色信号を出力する同時方式でもよい。また、ビデオプロセッサ２には、光源部４１の光源の温度を測定するための温度計４０が設けられている。温度計４０によって測定された光源の温度のデータは、ＣＰＵ３９によって取得される。
【００１６】
光源部４１により発生された照明光は、ライトガイド２１内部を伝搬して内視鏡１の可撓管先端部内に配されたライトガイド２１の射出端から射出する。可撓管先端部には照明光を照射するための配光光学系１２が、ライトガイド２１の先端と結合するように設けられている。また、可撓管先端部には配光光学系１２のほかに対物光学系１１が設けられており、その後段に撮像素子１３（ＣＣＤイメージセンサやＣＭＯＳイメージセンサなど）が配置されている。なお、図には対物光学系１１を単枚として示しているが、実際は複数枚から構成され、光学ズームに対応している。また、複数の伝送路が束ねられた信号線が撮像素子１３からビデオプロセッサ２との接続部にかけて引き出されている。
【００１７】
ライトガイド２１から出射された照明光は、配光光学系１２を介して対象部位に到達する。照明光は対象部位によって反射され、対物光学系１１を介して撮像素子１３の撮像面上に結像する。撮像素子１３によって受光された照明光は光電変換された後、ビデオプロセッサ２の映像信号処理回路３０に送られる。
【００１８】
術者は、内視鏡１の操作部２２のスイッチやビデオプロセッサ２の操作パネル４２などに設けられた電子ズーム用のスイッチを操作することにより電子ズームの倍率を変更する。操作パネル４２の各スイッチは、発光手段としての発光回路４３によるＬＥＤなどにより機能ごとに異なる発光色にて発光させることができる。発光回路４３はＣＰＵ３９によって発光制御される。ビデオプロセッサ２のＣＰＵ３９は電子ズーム用のスイッチの操作信号を受信し、操作信号に基づいて画像処理回路３４に電子ズームの制御信号を送信する。画像処理回路３４は受信した制御信号に基づいて映像信号に電子ズーム処理を行う。
【００１９】
また、内視鏡システム１００においては、ビデオプロセッサ２側で実行されるズーム機能である電子ズームのほかに、内視鏡１側で実行されるズーム機能である光学ズームも実行することができる。内視鏡１の操作部２２内には、光学ズーム手段として、モータ１４とモータ１４の回転数を検出するロータリエンコーダ１５が設けられている。モータ１４はトルクワイヤを介してギア１０に接続されている。ギア１０はモータ１４の駆動力を利用して対物光学系１１内の一部のレンズを光軸方向に移動し、撮像素子１３の撮像面との焦点距離を合焦位置を変えることなく変更する。モータ１４に対する入力やロータリエンコーダ１５により検出されるモータ１４の回転数などの情報が、モータ制御回路１６にフィードバックされる。例えば、パルス波のデューティ比を変化させて変調するＰＷＭ（Pulse Width Modulation）駆動式の場合は、ＰＷＭ周波数やデューティ比がモータ制御回路１６にフィードバックされる。モータ１４の回転数と対物光学系１１の当該一部のレンズの移動量は対応しているため、ロータリエンコーダ１５により検出されるモータ１４の回転数などの情報に基づいてフィードバック制御することにより、光学ズームを所望の倍率に合わせることができる。術者は、操作部２２のスイッチや操作パネル４２などに設けられた光学ズーム用のスイッチを操作することにより光学ズームの倍率を変更する。内視鏡１のＣＰＵ１８は光学ズーム用のスイッチの操作信号を受信し、受信した操作信号に基づいてモータ制御回路１６に制御信号を送信する。モータ制御回路１６は、ＣＰＵ１８からの制御信号によりモータ１４を所望の光学ズームの倍率に対応する回転数分だけ駆動する。モータ１４の駆動はギア１０に伝達され、ギア１０はモータ１４の回転数分だけ対物光学系１１の上述した一部のレンズを光軸方向に移動する。また、ＣＰＵ１８は、図１にて結線を示さないものの、モータ１４の故障を検出するためのセンサ２４からの出力を監視する。
【００２０】
ＣＰＵ１８は、モータ制御回路１６のほか、メモリ１７やタイミング回路１９に接続されている。メモリ１７には、内視鏡１が実行できる機能、撮像素子１３の画素数やフレームレートなど、内視鏡１に関する情報が記憶されている。したがって、ＣＰＵ１８は、メモリ１７から画像処理に必要な情報を読み出して各ブロックに必要な設定値を指定する。また、内視鏡１をビデオプロセッサ２に接続したときに、ＣＰＵ１８はメモリ１７に記憶されている情報のうち内視鏡１の識別情報や撮像素子１３固有のプロパティ情報などのビデオプロセッサ２内での処理に必要な情報をＣＰＵ３９に送信する。
【００２１】
ＣＰＵ３９は、ＣＰＵ１８から内視鏡１に関する情報を受信すると、受信した情報に基づいてタイミング回路３７にビデオプロセッサ２内の各ブロックの処理タイミングを変更するよう指示したり、画像処理回路３４内のＲＧＢゲイン値を調整するなどして内視鏡に最適化された色が再現されるように制御する。また、ＣＰＵ１８は、メモリ４４に格納されているビデオプロセッサ２における画像処理に関する情報をＣＰＵ３９から受信し、受信した情報に基づいて撮像素子１３の駆動タイミングを設定する。
【００２２】
ビデオプロセッサ２の映像信号処理回路３０は、撮像素子１３から出力される映像信号を受信して、入力された信号に、クランプ、ニー、γ補正、補間処理、ＡＧＣ（Auto Gain Control）などの種々の信号処理を施す。そして、処理した信号をデジタル信号列に変換し、ＲＧＢの色変換を行って、Ｒ，Ｇ，Ｂの各信号をＲメモリ３１、Ｇメモリ３２、Ｂメモリ３３にそれぞれ出力する。Ｒメモリ３１、Ｇメモリ３２、Ｂメモリ３３は、タイミング回路３７から出力されるタイミングパルスに基づいて、入力された映像信号をフレーム単位でバッファリングする。また、Ｒメモリ３１、Ｇメモリ３２、Ｂメモリ３３は、タイミング回路３７の制御によって、信号をＮＴＳＣ（National Television System Committee）やＰＡＬ（Phase Alternation Line）などのモニタ表示のフォーマットに変換し、画像処理回路３４に送る。
【００２３】
画像処理回路３４は、Ｒメモリ３１、Ｇメモリ３２、Ｂメモリ３３から受信したＲ，Ｇ，Ｂの各映像信号に対して、血管を強調するエンハンス、明るさ補正、ノイズ低減などの画像処理を施し、Ｄ／Ａ変換して出力する。キャラクタ生成回路３８は、入力手段としてのキーボード３や操作パネル４２から入力される、患者名、施術者の所見やコメントなど、種々の文字情報を加算部３５に送る。加算部３５は、キャラクタ生成回路３８から出力される文字情報の信号によって、文字情報を表示する位置の映像信号を上書きする文字情報処理を行う。加算部３５により文字情報が追加された映像信号は、アンプ３６に送られて増幅された後、周辺機器であるモニタ８やプリンタ４、ＰＣ５、ＶＴＲ６に出力される。
【００２４】
図２（ａ），（ｂ）に、本実施形態における内視鏡１の操作部２２の模式図を示す。本実施形態においては、操作部に内視鏡システム１００の種々の機能を実行するための４つのスイッチ５１，５２，５４，５５が設けられており、各スイッチには異なる機能が割り当てられている。また、内視鏡１の可撓管先端部を上下左右に向けるための左右湾曲用アングルノブ５７と上下湾曲用アングルノブ５８が設けられている。左右湾曲用アングルノブ５７と左右湾曲用アングルノブ５８を回動操作することにより、内視鏡１の可撓管先端部の湾曲方向を制御して撮像範囲を変更することができる。左右湾曲用アングルノブ５７と左右湾曲用アングルノブ５８には、各アングルノブによる可撓管先端部の湾曲状態を固定するためのロックレバー５６，５９がそれぞれ設けられている。なお、スイッチ５１，５２，５４，５５により、内視鏡１とビデオプロセッサ２が有する機能のほか、ビデオプロセッサ２に接続されているプリンタ４，ＰＣ５，ＶＴＲ６、心電図、脈拍、血圧などを計測する計測装置７、モニタ８などの周辺機器の機能を実行することもできる。例えば、ビデオプロセッサ２において生成される静止画像をプリンタ４に送信して印刷したり、ビデオプロセッサ２において生成される静止画像や動画像をＰＣ５やＶＴＲ６に保存したり、計測装置７から出力される計測結果をモニタ８に表示又は非表示したりすることができる。
【００２５】
また、送気送水スイッチ５３は、内視鏡１の可撓管先端部に設けられた送気送水口から、送気によって患者の管腔を広げて視野を確保したり、体液や出血などで対物レンズ表面が汚れて内視鏡の観察性能が低下した場合に、水を噴射してレンズ表面の汚れを除去し、空気を送って対物レンズ表面の水滴を飛ばすことで視界を回復したり、処置対象物の表面に空気を吹き付けて処置対象物の鮮明な観察画像を取得したりする際に使用するスイッチである。吸引スイッチ６０は、患者の体腔内の空気量を調節するために空気を吸引したり、体液や血液などを吸い出したりする際に使用するスイッチである。さらに、操作部２２の先端側には鉗子口６１が設けられている。内視鏡１の可撓管先端部には処置具挿通口が設けられており、生体鉗子や細胞採取用ブラシ、異物除去用鉗子、洗浄用パイプ、注射針など、種々の処置具を、鉗子口６１から挿入し、処置具挿通チャンネル及び処置具挿通口を経由して病変部などの処置対象部位に適用して処置を行う。
【００２６】
次に、本実施形態における内視鏡１の操作部２２の各スイッチを用いた種々の警告方法について説明する。本実施形態において、ＣＰＵ１８とＣＰＵ３９が、それぞれ内視鏡１とビデオプロセッサ２の各部において発生した不具合を検知する検知手段として機能する。図１に示すように、スイッチ５１，５２，５４，５５は、発光手段としての発光回路２３によるＬＥＤなどにより種々の色に発光可能である。図１において結線を示さないものの、発光回路２３はＣＰＵ１８によって発光制御される。内視鏡システム１００において不具合が発生した場合、ＣＰＵ１８は、不具合が発生した箇所に応じて、発光色や点灯や点滅などが異なる種々の発光パターンを用いて操作部２２のスイッチを発光する（特許請求の範囲の第１の発光に相当）。例えば、内視鏡１において発生した不具合を警告する場合は赤系統の色相の色で、ビデオプロセッサ２において発生した不具合を警告する場合は緑系統の色相の色で、プリンタ４などの周辺機器において発生した不具合を警告する場合は青系統の色相の色で、スイッチを発光する。周辺機器については、機器ごとに青紫や青や水色など色相を変えることで各周辺機器を区別することができる。これにより、術者は、内視鏡システム１００内の不具合が発生している機器を特定することができる。
【００２７】
また、操作部２２のスイッチを発光して不具合が発生した箇所を通知した後に、内視鏡システム１００内の機器のどの機能や機構に不具合が生じているかを、操作部２２のスイッチを発光する（特許請求の範囲の第２の発光に相当）ことで警告することもできる。例えば、操作部２２のスイッチに接触不良などの不具合が生じた場合は、正常に動作する残りの操作部２２のスイッチを、上述のように赤系統の色相の色で発光した後にあらかじめ設定された発光色及び発光パターンを用いて発光させる。発光パターンは、ユーザ操作により設定変更できるようにしてもよい。なお、上記をはじめとする本文中に記載の各「あらかじめ設定された」発光パターンは、文言上同一であるが、異なる発光パターンであっても同一の発光パターンであってもよい。
【００２８】
また、操作部２２のスイッチに割り当てられている機能に不具合が発生している場合は、当該スイッチをあらかじめ設定された発光色及び発光パターンにて発光させる。例えば、スイッチ５１に静止画像を取得するためのフリーズ機能、スイッチ５２にプリンタ４による画像の印刷機能、スイッチ５４，５５に電子ズーム及び光学ズームの倍率変更機能が割り当てられているとする。なお、スイッチ５４，５５は、一方がズーム倍率を上げるスイッチであり、他方がズーム倍率を下げるスイッチである。また、スイッチ５４，５５を同時押しすることにより、電子ズームと光学ズームを切り替えることができるものとする。
【００２９】
まず、フリーズ機能による静止画像の生成処理において動作不良が生じている場合は、ＣＰＵ３９が当該動作不良を検知し、フリーズ機能の不具合が生じていることを通知する信号をＣＰＵ１８に送る。ＣＰＵ１８は、不具合を通知する信号を受信すると、操作部２２の各スイッチを上述のように緑系統の色相の色で発光した後、スイッチ５１をあらかじめ設定された発光色（緑系統の色相の色）及び発光パターンにて発光する。これにより、術者や他の作業者は、ビデオプロセッサ２のフリーズ機能に不具合が生じていることを把握することができる。
【００３０】
また、インク切れや用紙切れなどプリンタ４における印刷機能のエラーが生じている場合は、ＣＰＵ３９がプリンタ４からの応答がない状態を検知し、プリンタ４に不具合が生じていることを通知する信号をＣＰＵ１８に送る。ＣＰＵ１８は、不具合を通知する信号を受信すると、操作部２２の各スイッチを上述のように青系統の色相の色で発光した後、スイッチ５２をあらかじめ設定された発光色（青系統の色相の色）及び発光パターンにて発光させる。また、ビデオプロセッサ２によるプリンタ４の動作制御にエラーが生じている場合は、操作部２２の各スイッチを青系統の色相の色ではなく、緑系統の色相の色で発光した後、スイッチ５２をあらかじめ設定された発光色（緑系統の色相の色）及び発光パターンにて発光させる。これにより、術者や他の作業者は、プリンタ４に不具合が生じていることだけでなく、不具合がプリンタ４側の問題で発生しているかビデオプロセッサ２側の問題で発生しているかを把握することができる。
【００３１】
次に、ズーム機能、例えばモータ１４に動作不良が生じて光学ズームを正常に機能させることができない場合は、ＣＰＵ１８がセンサ２４からの異常出力を検知し、操作部２２の各スイッチを上述のように赤系統の色相の色で発光した後、スイッチ５４，５５をあらかじめ設定された発光色（赤系統の色相の色）及び発光パターンにて発光させる。これにより、術者は、内視鏡１において光学ズームを動作させる機能に不具合が生じていることを把握することができる。また、電子ズームによるズーム画像の生成処理において動作不良が生じている場合は、上記のフリーズ機能における動作不良の場合と同様、ＣＰＵ１８は、ＣＰＵ３９から不具合を通知する信号を受信して、操作部２２の各スイッチを上述のように緑系統の色相の色で発光した後、スイッチ５４，５５をあらかじめ設定された発光色（緑系統の色相の色）及び発光パターンにて発光させる。これにより、術者は、ビデオプロセッサ２において電子ズームを動作させる機能に不具合が生じていることを把握することができる。
【００３２】
本実施形態においては、内視鏡システム１００において実行する機能以外の要素についても不具合や異常を警告することができる。例えば、ＣＰＵ３９が温度計４０の出力データから、光源部４１の光源周辺の温度が異常値となっていることを検知した場合、光源部４１の温度が異常であることを通知する信号をＣＰＵ１８に送る。また、ＣＰＵ３９が光源部４１の光源のランプの種類及び使用時間を監視し、ランプ交換の目安となる使用時間を経過してランプを使用し続けていると判定したら、ランプ交換を通知する信号をＣＰＵ１８に送る。ＣＰＵ１８は、ＣＰＵ３９から光源部４１の不具合の信号を受信して、操作部２２の各スイッチを緑系統の色相の色で発光する。
【００３３】
また、この際、操作部２２の各スイッチを、ビデオプロセッサ２の機能に不具合が生じた場合とは異なる発光パターンにて発光する。例えば、操作部２２のスイッチに割り当てられていないビデオプロセッサ２の機能に不具合が生じた場合は各スイッチを点灯し、光源部４１の不具合が生じた場合は各スイッチを所定の間隔で点滅させる。また、操作部２２のスイッチに割り当てられていないビデオプロセッサ２の機能に不具合が生じた場合は遅い点滅にし、光源部４１の不具合が生じた場合は速い点滅にするなど、それぞれ異なる間隔で点滅させる。これにより、術者は、ビデオプロセッサ２における不具合が機能についてのものか物理的な機構についてのものかを判別することができる。さらに、操作パネル４２にメッセージを表示したり、操作パネル４２に光源の状態を示すインジケータを設けインジケータを特異な色によって発光したりすることにより、不具合の具体的な内容を通知することもできる。
【００３４】
以上が本発明の実施形態に関する説明である。本発明は、上記の構成に限定されるものではなく、本発明の技術的思想の範囲においてさまざまな変形が可能である。例えば、操作部のスイッチの発光パターンについては、上記に限らず、点灯、消灯、点滅、発光時間などの発光パターンを変更することにより、内視鏡システムにおいて発生した不具合をより具体的に警告することができる。また、内視鏡の操作部のスイッチとビデオプロセッサの操作パネルのスイッチとが同じ機能を有し、操作パネルのスイッチも発光する場合、発光パターンを一致させることにより、不具合の発生状況が確認しやすくなる。
【００３５】
さらに、操作部のスイッチに割り当てられている機能は、任意のタイミングで変更することができる。術者は、ビデオプロセッサ２の操作パネル４２やビデオプロセッサ２に接続されたキーボード３を入力手段として使用し、操作部２２の各スイッチに割り当てられる機能や発光色を変更する。また、内視鏡１の操作部２２のスイッチを操作することでスイッチに割り当てられている機能を変更することも可能である。内視鏡１の操作部２２のスイッチにより機能変更を行う場合、スイッチを同時押ししたり長押ししたりすることで機能の変更を開始又は終了する。そして、ＣＰＵ１８は、スイッチに現在割り当てられている機能を把握することにより、スイッチの機能が変更されても、適切なスイッチ発光によって内視鏡システムにおいて発生した不具合を警告することができる。
【符号の説明】
【００３６】
１    内視鏡
２    ビデオプロセッサ
３    キーボード
４    プリンタ
５    ＰＣ
６    ＶＴＲ
７    計測装置
１８，３９    ＣＰＵ
２２    操作部
２３，４３    発光回路
４２    操作パネル
５１，５２，５４，５５    スイッチ
１００    内視鏡システム
【図１】
0005467967.tif 000002
【図２】
0005467967.tif 000003